(57)【要約】【課題】上下に配列した２つの収納部の上下位置を自在に入れ換えることができる昇降収納キャビネットを提供する。【解決手段】上下に配列した第１の収納部６１と第２の収納部６２とを、同期回動させて、第１の収納部６１と第２の収納部６２の配列位置を入れ換えるようにすることにより、第１、第２の収納部６１、６２はいずれも収納物の出し入れ作業のしやすい位置に移動することができるため、収納作業性が良く、使い勝手の良い昇降収納キャビネットとなる。【選択図】図２
2004000785.tif 000002
【特許請求の範囲】
【請求項１】
上下に配列した第１、第２の各収納部と、各収納部を所定の支持支点で支持して第１の収納部と第２の収納部とを連結し、各支持支点の間に設定した回転支点で回転する支持部材と、前記回転支点をその軸線と直角な向きに略水平方向に移動できるように支持する摺動支持部とを備え、前記摺動支持部を収納キャビネット内部に固着し、前記第１と第２の収納部を上下配列位置を入れ換えることを特徴とする昇降収納キャビネット。
【請求項２】
前記収納キャビネットの開放面に開閉自在な扉を設置し、第１、第２の各収納部が上下に配列した収納位置において、前記扉が閉成可能な構成の請求項１に記載の昇降収納キャビネット。
【請求項３】
前記収納キャビネットの前後両面に開放面を備えた請求項１または２に記載の昇降収納キャビネット。
【請求項４】
前記第１、第２の収納部の移動軌跡の空間と区画された収納空間を備えた請求項１〜３に記載の昇降収納キャビネット。
【発明の詳細な説明】
【技術分野】
【０００１】
　本発明は、上下に配列した２つの収納部を必要に応じてその上下位置を入れ換え、出し入れが容易な位置に任意の収納部が位置するように昇降させることができる昇降収納キャビネットに関するものである。
【背景技術】
【０００２】
　収納部を上方位置と下方位置との間に昇降させる方法として、収納部を鉛直線上に直線的に昇降させることが考えられるが、収納部に収納した物品の重量が増したとき、上昇させることが困難になるため、より軽い力で上昇させることができるように、回動により収納部を昇降させる昇降収納装置が提案されている。
【０００３】
　図１４に示すように、流し台ｄ等の作業台の上方に配置したキャビネットｃ内に収容された収納部ａをキャビネットｃ内と下方位置との間に昇降できるように構成されている。収納部ａがキャビネットｃ内に収容されている状態では流し台ｄを使用する作業に支障はなく、必要に応じてキャビネットｃの扉を開いて収納部ａを引き下ろすと、自由に出し入れのできる下方位置に降下させることができる。収納部ａはキャビネットｃに回動自在に取り付けられた平行リンクｂの自由端で支持されているので、収納部ａはキャビネットｃ内と手前下方位置とに回動させて昇降動作を行うことができる。
【０００４】
　このような厨房だけでなく、上方空間を物品の収納場所としてキャビネット類を配置することがなされるが、物の出し入れに踏み台等を用いないと自由に出し入れができないので、上記のように収納部ａを昇降できるように構成すると、上方に設置した収納部を有効活用できる。
【発明の開示】
【発明が解決しようとする課題】
【０００５】
　しかしながら、上記構成では収納部ａはキャビネットｃの手前側が下降位置となるので、収納部ａを下降させた状態では流し台等の作業台での作業ができなくなることや、昇降する高さ距離が小さいためキャビネットｃをあまり高い位置に配置することができない問題点があった。
【０００６】
本発明の目的とするところは、上下に配列された２つの収納部を上方位置からその真下の下方位置に昇降させて上下を入れ換えることができる収納部昇降方法及びそのを用いた昇降収納装置を提供することにある。
【課題を解決するための手段】
【０００７】
　前記従来の課題を解決するために、本発明の昇降収納キャビネットは、上下に配列した第１の収納部と第２の収納部とを、同期回動させて、第１の収納部と第２の収納部の配列位置を入れ換えるようにした昇降収納キャビネットである。
【０００８】
　これによって、第１、第２の収納部はいずれも収納物の出し入れ作業のしやすい位置に移動することができるため、収納作業性が良く、使い勝手の良い昇降収納キャビネットとなる。
【発明の効果】
【０００９】
　本願発明の昇降収納キャビネットは、第１、第２の各収納部をそれらの間の回転支点まわりに同期回動させて、それぞれ１８０度に回動移動させれば上下位置を入れ換えることができ、下方位置を収納物の出し入れのしやすい位置に設定すれば、任意に上方位置の納部を下方位置に移動でき、上方の収納部を有効に利用することができる。
【発明を実施するための最良の形態】
【００１０】
　第１の発明は、上下に配列した第１、第２の各収納部と、各収納部を所定の支持支点で支持して第１の収納部と第２の収納部とを連結し、各支持支点の間に設定した回転支点で回転する支持部材と、前記回転支点をその軸線と直角な向きに略水平方向に移動できるように支持する摺動支持部とを備え、前記摺動支持部を収納キャビネット内部に固着し、前記第１と第２の収納部を上下配列位置を入れ換えることを特徴とする昇降収納キャビネットとすることにより、回転支点は摺動支持部上で略水平移動できるので、支持部材は回転支点を移動させつつ各収納部を回転させることができ、限られた空間内での昇降移動や昇降経路の変化により収容部内に配列した各収納部の上下位置の入れ換えを無駄なスペースを設けることなく行うことができ、第１、第２の収納部はいずれも収納物の出し入れ作業のしやすい位置に移動することができるため、収納作業性が良く、使い勝手の良い昇降収納キャビネットとなる。
【００１１】
　第２の発明は、特に、第１の発明における収納キャビネットの開放面に開閉自在な扉を設置し、第１、第２の各収納部が上下に配列した収納位置において、前記扉が閉扉可能な構成の昇降収納キャビネットとすることにより、第１、第２の収納部はいずれも収納位置において扉を閉じた収納キャビネット内に密閉することができるため、収納物を安全に保管することができるとともに、外部から収納物が見えず見栄えもよい。
【００１２】
　第３の発明は、特に、第１または第２の発明における収納キャビネットの前後両面に開放面を備えた昇降収納キャビネットとすることにより、収納部への収納物の出し入れは両面から行うことができるため、使い勝手が向上し、特に間仕切り部に設置すれば間仕切りキャビネットとして好適である。
【００１３】
　第４の発明は、特に第１〜３のいずれか１つの発明の収納キャビネットに、第１、第２の収納部の移動軌跡の空間と区画された収納空間を備えた昇降収納キャビネットとすることにより、不動な収納空間を確保することができるため、昇降収納に不向きな、重量物や破損しやすい物品の収納スペースを確保することができるため、より使い勝手の向上が図れる。
【００１４】
　以下、本発明の実施の形態について、図面を参照しながら説明する。なお、この実施の形態によって本発明が限定されるものではない。
【００１５】
　（実施の形態１）
　図１は、本発明の基本的構成である第１の実施形態の構成とその動作順序とを模式的に示すもので、図示左右方向の前面、後面を開放状態にした収容部７０内に、第１の収納部６１と第２の収納部６２とを上下に配列し、これらの支持支点Ｐ1 、Ｐ2 の間を支持部材６４で連結支持し、この支持部材６４の中間点を収容部７０に支持された回転支点Ｏとして、各収納部６１、６２を両側面で回転自在に収容部７０で支持して構成している。第１の収納部６１または第２の収納部６２を前面または後面方向に引き出すように回動させると、支持部材６４で連結された他方も回動するので、（ａ）〜（ｇ）の順に図示するように１８０度の回動により第１の収納部６１と第２の収納部６２との上下位置を入れ換えることができる。
【００１６】
　上記構成において、下方位置を収納物の出し入れのしやすい位置に設定すると、上方位置からは収納物の出し入れは困難であるが、上記のように回動により上下位置を入れ換えることができるので、いずれの収納部も有効に使用することができる。この構成は簡単な構造で上下に配列した収納部の位置を入れ換えることができ、また、各収納部６１、６２の両面に出し入れ口を設けておけば前面、後面の両方から出し入れでき、更に、所望の回転方向に自在に回転させ得るので上下入れ換え操作が楽になる利点があるが、収容部７０の後面を壁面に添わせて配置する一般的な配置状態では設置できない欠点がある。そこで、回動または回転による昇降に際して後面に収納部が突出しない昇降収納キャビネットの構成について次に説明する。
【００１７】
　（実施の形態２）
　図２は、本発明の第２の実施形態に係る昇降収納キャビネットの構成を示す側面図（ａ）と正面図（ｂ）である。
【００１８】
　図２（ａ）において、第２の実施形態に係る昇降収納キャビネットは、収納キャビネット（収容部）６３の中上層に上下に配列された第１の収納部６１及び第２の収納部６２と、各収納部６１、６２の上下位置を入れ換える昇降動作を行うための昇降機構６６とを備えて構成されている。昇降機構６６は、第１の収納部６１の支持支点Ｐ1 と第２の収納部６２の支持支点Ｐ2 との間を連結する支持部材６４と、収納キャビネット６３に取り付けられて前記支持部材６４の回転支点Ｏを水平方向に移動自在に支持する摺動支持部６５と、第１の収納部６１を回動角度にかかわらず一定の水平姿勢に維持する第１の姿勢維持部（姿勢規制手段）７１と、第２の収納部６２を回動角度にかかわらず一定の水平姿勢に維持する第２の姿勢維持部７２と、各収納部６１、６２の昇降経路を規制するリンク（昇降経路規制手段）６８とを備え、この昇降機構６６は、図２（ｂ）に示すように、左右対称位置に昇降機構６６R 、６６L として配備され、各支持部材６４、６４の各回転支点Ｏ間は連結軸６７で連結され、左右の昇降機構６６R 、６６L が同期して動作するように構成されている。
【００１９】
　図３は、図１（ｂ）に示す昇降機構６６L の構成を拡大図示するもので、支持部材６４は、その回転支点Ｏに位置する中間部で連結軸６７に回動自在に支持され、各収納部６１、６２の各支持支点Ｐ1 、Ｐ2 に位置する両端部で各収納部６１、６２を回動自在に支持している。また、前記連結軸６７の両端部は、その上下に配したローラ６５ａ、６５ｂを摺動支持部６５の上下にコの字状の断面形状に形成された凹部に嵌入させ、摺動支持部６５内を水平方向に円滑に移動できるように構成されている。更に、連結軸６７には固定輪７４ａ、７４ｂが固定され、各収納部６１、６２の支持支点Ｐ1 、Ｐ2 に固定された回動輪７３ａ、７３ｂとの間にそれぞれベルト７５ａ、７５ｂが掛け渡されて、それぞれ第１の姿勢維持部７１、第２の姿勢維持部７２を構成している。
【００２０】
　上記構成において、回転支点Ｏは各支持支点Ｐ1 、Ｐ2 の間の中間位置に設けることが望ましく、収納キャビネット６３内に格納する各収納部６１、６２の容積を最も大きく構成することができる。また、収納キャビネット６３内に無駄な空間を設けることなく格納して回動させるために、第１の収納部６１の後側上角及び下角、第２の収納部６２の前側上角及び下角は、図示するように切り欠いて回動時に各収納部６１、６２の角部が接触しないように形成されている。
【００２１】
　上記構成になる昇降収納キャビネットＤによる各収納部６１、６２の昇降動作について、昇降移動の状態を各ステップ毎に（ａ）〜（ｇ）として示す図４を参照して以下に説明する。
【００２２】
　収納キャビネット６３は前面に扉６３ａが設けられており、格納した第１の収納部６１と第２の収納部６２との上下位置を入れ換えるときには、扉６２ａを開いて前面を開放し、図４（ａ）の状態から第１の収納部６１を手前に引き出しつつ回動させると、第１の収納部６１は支持支点Ｐ1 で支持部材６４を回転支点Ｏを中心として回動させるので、第２の収納部６２も支持支点Ｐ2 で後方に回動しようとするが、支持部材６４の第２の収納部６２側にはリンク６８が連結されているので、支持部材６４が回動する動作で支持部材６４の回転支点Ｏを摺動支持部６５内で水平方向に移動させ、図４（ｂ）〜（ｄ）に示すように、第２の収納部６２は第１の収納部６１の回動に伴って鉛直方向に上昇する。このリンク６８が支持部材６４を水平移動させる最大点は図４（ｄ）に示す第１の収納部６１と第２の収納部６２とが水平方向に並び、支持部材６４が水平になった状態で、更に第１の収納部６１を回動させると、リンク６８による支持部材６４の作用方向が変わるので、回転支点Ｏは戻る方向に移動し、図４（ｅ）〜（ｆ）に示すように、第１の収納部６１は回動しつつ収納キャビネット６３内の下方に侵入し、第２の収納部６２は鉛直方向に更に上昇して、図４（ｇ）に示す第１の収納部６１が第２の収納部６１が配列されていた下方位置に入ったとき、第２の収納部６２は第１の収納部６１が配列されていた上方位置に上昇して、第１の収納部６１と第２の収納部６２との配列位置が入れ換わる。図４（ｇ）に示す状態から第１の収納部６１を引出し、上記操作と逆方向に回動させると、第２の収納部６２は下降し、図４（ｆ）〜（ａ）の逆動作でそれぞれ元の配列位置に復帰させることができる。
【００２３】
　前記下方位置を収納物の出し入れのしやすい高さ位置、例えばアイレベルに設定しておくと、出し入れのしにくい上方位置にある収納部も随時下方位置に移動できるので、一般には出し入れがしにくく単なる保管スペースとしてしか利用できない上方の収納スペースを上記構成によって有効に利用することができる。
【００２４】
　上記構成において、各収納部６１、６２は支持部材６４によって各支持支点Ｐ1 、Ｐ2 の１軸で回動自在に支持されているので、回動角度によって水平姿勢が傾く恐れがあるが、各支持支点Ｐ1 、Ｐ2 と回転支点Ｏとの間には、それぞれ各姿勢維持部７１、７２が設けられているので、回動角度にかかわらず常に一定の水平姿勢が維持される。この各姿勢維持部７１、７２の構成及び動作について、図５を参照して説明する。
【００２５】
　図５において、第１の収納部６１及び第２の収納部６２それぞれの支持支点Ｐ1 、Ｐ2 に固定された各回動輪７３ａ、７３ｂと、回動支点Ｏに配設された連結軸６７に固定された各固定輪７４ａ、７４ｂ（図３参照）との間には、回動輪７３ａと固定輪７４ａとの間にベルト７５ａ、回動輪７３ｂと固定輪７４ｂとの間にベルト７５ｂがそれぞれ掛け渡されている。一方、各収納部６１、６２は各支持支点Ｐ1 、Ｐ2 で支持部材６４に回動自在に支持されているので、それぞれ支持支点Ｐ1 、Ｐ2 を中心として回動自在である。従って、支持部材６４が連結軸６７を回動軸として回動したとき、各収納部６１、６２の各支持支点Ｐ1 、Ｐ2に対する支持角度は変化して各収納部６１、６２は回転して傾こうとするが、各収納部６１、６２はそれぞれ各回動輪７３ａ、７３ｂと各固定輪７４ａ、７４ｂとの間がベルト７５ａ、７５ｂで連結されているので、支持部材６４の回動によっても各回動輪７３ａ、７３ｂ及び各固定輪７４ａ、７４ｂと各ベルト７５ａ、７５ｂとの内接位置が移動するのみで、ベルト７５ａ、７５ｂの緊張摩擦により各収納部６１、６２は各支持支点Ｐ1 、Ｐ2 を中心として水平姿勢から傾くことがなく、水平姿勢が維持された状態で回動移動または昇降移動する。
【００２６】
　上記構成において、第１の収納部６１を回転支点Ｏまわりに回動移動させ、これに伴って第２の収納部６２を昇降移動させるために、昇降経路規制手段としてリンク６８を採用しているが、この昇降経路規制手段の他の実施形態について以下に説明する。
【００２７】
　図６は、収納キャビネット６３を構成する壁面を昇降経路規制手段として利用した構成を示すもので、図６に示すように、第２の収納部６２の背面にはコロ７６が取り付けられ、このコロ７６を介して収納キャビネット６３の背部壁面６３ｂに接して昇降できるように構成されている。図４に示した昇降移動順序からも明らかなように、第２の収納部６２を収納キャビネット６３の背部壁面６３ｂに沿って昇降させるように規制することによって、第１の収納部６１を回動させることによる支持部材６４の回転支点Ｏの摺動支持部６５上での位置を移動させることができる。
【００２８】
　図６に示す状態は、第１の収納部６１を下方位置に移動させた状態であるが、再び第１の収納部６１を収納キャビネット６３の外に引き出して回動させると、支持部材６４の第２の収納部６２側の回動方向への移動は背部壁面６３ｂによって規制されるため、回転支点Ｏは第１の収納部６１の回動に伴って摺動支持部６５上を水平移動する。他の構成及び動作は先の構成と同様なので、その説明は省略する。
【００２９】
　図７は、支持部材６９の第２の収納部６２側の端部の移動経路を規制するようにした昇降経路規制手段の構成を示すもので、支持部材６９の第２の収納部６２側の端部にはローラ（係合部）７８が取り付けられており、このローラ７８が嵌入される回動ガイド（案内部）７７が収納キャビネット６３の側壁面に取り付けられている。この回動ガイド７７にはローラ７８を案内する溝が形成されており、その上下端は各収納部６１、６２が鉛直線上の上下位置にあるとき、支持部材６９の回動支点Ｏからローラ７８までの距離で、摺動支持部６５位置での水平線上で回転支点Ｏからの距離が最短となる形状に形成されている。従って、第１の収納部６１の回動により支持部材６９が回動するとき、ローラ７８の移動が回動ガイド７７により案内されるため、回転支点Ｏを摺動支持部６５上で水平移動させ、第１の摺動部６１の回動に伴って第２の収納部６２を昇降移動させる。
【００３０】
　上記昇降経路規制手段の構成は、図８に示すようにローラ７８、７９と回転ガイド８０とを設けることによって、各収納部６１ａ、６２ａの回転移動を可能にすることができる。
【００３１】
　図８に示すように、支持部材８１の両端部にはそれぞれローラ７８、７９が取り付けられ、このローラ７８、７９が嵌入される回転ガイド８０が収納キャビネット６３の側壁面に取り付けられている。前記回転ガイド８０の両端部は各収納部６１ａ、６２ａが回転する方向に開放されており、各収納部６１ａ、６２ａを図示矢印方向に回転させることによって支持部材８１が回転したとき、第２の収納部６２ａ側のローラ７８は回転ガイド８０の上方開放部から脱出し、第１の収納部６１ａ側のローラ７９は回転ガイド８０内を中心方向に移動する。この動作によって第２の収納部６２ａは回転支点Ｏまわりに回動し、第１の収納部６１ａは回転支点Ｏの摺動支持部６５内での移動により上昇移動する。更に第２の収納部６２ａを回動させると、ローラ７８は回転ガイド８０の下方開放部から回転ガイド８０内に入り、支持部材８１が鉛直方向に向いた位置で第２の収納部６２ａは下方位置に、第１の収納部６１ａは上方位置にと入れ換えられる。
【００３２】
　先に述べた各構成では、第１の収納部６１の往復回動により第２の収納部６２との間の上下位置の入れ換えであったが、本構成によれば、上方位置にある第１の収納部６１ａまたは第２の収納部６２ａを引き下ろす方向の一方方向への回動で上下位置を入れ換えることができる。従って、この構成による回転支点Ｏは３６０度に回転することができ、その回転方向は常に各収納部６１ａ、６２ａを引き下ろす方向なので入れ換え操作を楽に行うことができる。
【００３３】
　尚、本構成による場合、各収納部６１ａ、６２ａは、図示するように各角部を切り欠いて形成し、一方方向への回転時に双方の角部が接触しないようにしている。
【００３４】
　以上説明した構成において、各収納部６１、６２がそれぞれ上方位置と下方位置とに位置したとき、その位置に安定して停止させるため、図９に示すように、支持部材８２の回動を係止させる停止位置規制手段を設けることができる。
【００３５】
　図９に示すように、前記停止位置規制手段は、支持部材８２の両端部にそれぞれコロ８３、８３を取り付け、図９（ｂ）に示すように、収納キャビネット６３の内壁面に支持部材８２を停止させる鉛直方向位置にそれぞれ凹部を形成した係止部８４、８４を取り付けて構成している。各収納部６１、６２が昇降移動してそれぞれ上下の所定位置に移動したとき、支持部材８２の両端のコロ８３、８３はそれぞれ係止部８４、８４の凹部に嵌まり込むので、支持部材８２の停止が安定する。この停止状態は、第１の収納部６１を回動させる操作を加えることによって各コロ８３、８３は各係止部８４、８４への嵌入状態から外れるので、昇降操作に支障を与えることはない。この停止位置規制手段は、図９に示す構成だけでなく、他の構成に同様に適用できる。
【００３６】
　また、図９に示すように、支持部材８２を摺動支持部６５上で直接移動させる昇降操作手段を設けて構成することもできる。昇降操作手段８５は、摺動支持部６５内を回転移動するローラ８６と、このローラ８６を枢支すると共に支持部材８２に連結する移動板８７と、移動板８７のローラ８６枢支位置から収納キャビネット６３の扉６３ａ方向に延長して取り付けられた操作レバー８８とを備えて構成されている。本構成において、前記操作レバー８８を引くと、移動板８７はローラ８６の回転により摺動支持部６５上で移動し、連結された支持部材８２の回転支点Ｏを摺動支持部６５上で水平移動させる。支持部材８２の回転支点Ｏの水平移動により支持部材８２の一方端がローラ７８と回動ガイド７７とにより規制されていることによって、他方端に支持された第１の収納部６２を回動させると共に、第２の収納部６２を下降させる。この構成は、各収納部６１、６２の配列位置が比較的高い位置にある場合、特に昇降の主体となる第１の収納部６１が上方位置にある場合に、低い位置にある操作レバー８８の操作により昇降動作を行うことにより楽な昇降操作が可能となる。
【００３７】
　更に、図１０に示すように、支持部材６９の回転支点Ｏを設定した所定位置に自動的に復帰させる回転支点復帰手段を設けて構成することができる。本構成では収納キャビネット８９の両側に扉８９ａ、８９ｂを設けて前後面の任意側を開放可能とし、双方向への回転により各収納部６１ａ、６２ａを昇降移動できるようにしており、収納キャビネット８９の前後面に至る延長幅の摺動支持部９０に支持部材６９の回転支点Ｏを支持し、この回転支点Ｏの両側にバネ９１、９１を配して、支持部材６９の回転支点Ｏが設定した所定位置に位置するように両側から付勢している。人力により各収納部６１ａ、６２ａを回動させたときには、回動方向によりバネ９１、９１の付勢力に抗して回転支点Ｏが摺動支持部９０上を移動し、各収納部６１ａ、６２ａの上下入れ換えができる。この回動による上下入れ換えが所定位置に達する以前に人力による加圧を解除しても、バネ９１、９１の付勢により回転支点Ｏは所定位置に自動的に復帰する。前記所定位置は各収納部６１、６２が上下位置に配列される位置であるが、任意位置に設定することもできる。
【００３８】
　更に、各構成における連結軸６７にロータリーダンパ等の釣り合い手段を連結することにより、各収納部６１、６２に収納した物品の重量差により昇降操作が困難になる状態は、重量の大きい側が下降方向になったときの急激な下降を抑制し、安定した昇降動作を行わせることができる。また、連結軸６７にモータを連結して昇降動作の補助動力する他、電動により昇降動作を行わせることもできる。
【００３９】
　更に、図１１は、伸縮可能な摺動支持部９２を備えた昇降収納装置の構成及び昇降動作を示し、奥行きの狭い収納キャビネット９３にも適用することができるものである。
【００４０】
　図１１に示す昇降収納装置に設けられた摺動支持部９２は、図１２に示すように、本体９２ａ内に延長部９２ｂが進退自在に挿入されている。各収納部６１ｂ、６２ｂも収納キャビネット９３に合わせて奥行き寸法を小さく形成されており、各収納部６１ｂ、６２ｂが上下配列位置にある（ａ）または（ｇ）に示す状態では、前記摺動支持部９２は収納キャビネット９３内に納まる収縮状態にあり、第１の収納部６１ｂの回動に伴ってリンク９５により押し出される支持部材９４の回転支点Ｏが摺動支持部９２の延長部９２ｂの端部ストッパ９２ｃに当接して延長部９２ｂを押し出すことにより、摺動支持部９２は伸長して収納キャビネット９３外にまで回転支点Ｏを移動させる（ｃ）〜（ｅ）。第１の収納部６１ｂが下方位置に入る方向に移動するときには、リンク９５の作用により回転支点Ｏは収納キャビネット９３内に向かい、反対側の端部ストッパ９２ｄを進入方向に押し入れるので、延長部９２ｂは本体９２ａに進入して摺動支持部９２は元のサイズに収縮する。このように各収納部６１ａ、６２ａが上下位置に配列された状態では、摺動支持部９２は収納キャビネット９３内に納まっているので、扉９３ａを閉じることができる。
【００４１】
　以上説明した各昇降収納装置の構成は、収納キャビネット内に装備した形態として示したが、作業台等の上方に配設することもできる。図１３に示すように、壁面の添って配置された作業台９６の上方の壁面に取り付けた収容部９７に第１、第２の各収納部６１、６２が上下に格納されており、この下方位置をアイレベルに設定すれば、作業台９６の上方には作業に支障のない空間が確保され、必要に応じて各収納部６１、６２の上下位置を入れ換えれば、出し入れのしにくい上方位置からも収納物の出し入れが容易となり、作業に必要な収納部として有効活用できる。
【産業上の利用可能性】
【００４２】
　以上のように、本発明にかかる昇降収納キャビネットは、収納物の出し入れしやすい位置に収納体を移動することができるので、住宅用、商業用、工業用の収納装置等にも適用できる。
【図面の簡単な説明】
【００４３】
【図１】本発明の第１の実施形態に係る昇降収納装置の構成及び動作を説明する側面図
【図２】第２の実施形態に係る昇降収納装置の側面（ａ）と正面（ｂ）から見た構成図
【図３】昇降機構の構成を拡大図示する構成図
【図４】第２の実施形態に係る昇降収納装置の動作順序を説明する側面図
【図５】姿勢規制手段の構成を説明する側面構成図
【図６】昇降経路規制手段の構成を示す側面構成図
【図７】昇降経路規制手段の別構成を示す側面（ａ）及び正面（ｂ）からの構成図
【図８】昇降経路規制手段の別構成を示す側面構成図
【図９】停止位置規制手段及び昇降操作手段の構成を示す側面（ａ）及び正面（ｂ）からの構成図
【図１０】回転支点復帰手段の構成を示す側面構成図
【図１１】伸縮構造の摺動支持部を用いた昇降収納装置の構成及び動作順を示す側面図
【図１２】伸縮構造の摺動支持部の例を示す平面図
【図１３】昇降収納装置を作業台上に設置した例を示す側面図
【図１４】従来例に係る昇降収納装置の概略構成を示す側面図
【符号の説明】
【００４４】
　６１　第１の収納部
　６２　第２の収納部
　６３　収納キャビネット（収容部）
　６４、６９、８１、８２、９４　支持部材
　６５、９０、９２　摺動支持部
　６６　昇降機構
　６７　連結軸
　６８　リンク（昇降経路規制手段）
　７１　第１の姿勢維持部（姿勢規制手段）
　７２　第２の姿勢維持部（姿勢規制手段）
　７６　コロ（昇降経路規制手段）
　７７、８０　回動ガイド（昇降経路規制手段）
　７８、７０　ローラト（昇降経路規制手段）
　８４　係止部（停止位置規制手段）
　８５　昇降操作手段
　９１　バネ（回転支点復帰手段）
【図１】
2004000785.tif 000003
【図２】
2004000785.tif 000004
【図３】
2004000785.tif 000005
【図４】
2004000785.tif 000006
【図５】
2004000785.tif 000007
【図６】
2004000785.tif 000008
【図７】
2004000785.tif 000009
【図８】
2004000785.tif 000010
【図９】
2004000785.tif 000011
【図１０】
2004000785.tif 000012
【図１１】
2004000785.tif 000013
【図１２】
2004000785.tif 000014
【図１３】
2004000785.tif 000015
【図１４】
2004000785.tif 000016